(57)【要約】【課題】回動テスリ部を垂下した状態で保持拘束でき、ベッドの内側に向けて略水平状態としたときには上方回動自在とするとともに、ベッドの外側に向けて略水平状態としたときにはその状態で保持拘束できるよう構成すること。【解決手段】ベッドに挿着するベースと、該ベースに回動機構を介して回動自在に具備される回動テスリ部とからなるベッド用補助具において、前記ベースには縦ベースパイプが立設されるとともに該縦ベースパイプの上端部には前記回動機構を構成するベースツメが止着され、前記回動テスリ部のバーパイプの基端部には回動機構を構成するバーツメ（が止着され、これらに設けたツメ部の噛合状態と、バーシジピンに止着したキセイプレートとキセイボルトの掛合により回動テスリ部を垂下した状態とベッドの外側に向けて水平としたときに回動が拘束され、ベッドの内側に向けて略水平としたときに上方回動側のみ回動自在となるよう構成した。【選択図】図１
2008188129.tif 000002
【特許請求の範囲】
【請求項１】
ベッド（Ｂ）に挿着するベース（２）と、該ベース（２）に回動機構（４）を介して回動自在に具備される回動テスリ部（３）とからなるベッド用補助具（１）において、前記ベース（２）には縦ベースパイプ（７）が立設されるとともに該縦ベースパイプ（７）の上端部には前記回動機構（４）を構成するベースツメ（１０）が止着され、該ベースツメ（１０）には軸心方向に直交するように第一溝部（１３ａ）を設けるとともに略半円弧状の第一ツメ部（１４ａ）と該第一ツメ部（１４ａ）よりも突出する第二ツメ部（１４ｂ）を設ける一方、該第二ツメ部（１４ｂ）を２分割する第二溝部（１３ｂ）を設け、前記回動テスリ部（３）のバーパイプ（８）の基端部には回動機構（４）を構成するバーツメ（１５）が止着され、該バーツメ（１５）には前記第一溝部（１３ａ）に噛合可能な第二ツメ部（１５ｃ）を設けるとともにバーシジピン（１６）を止着し、該バーシジピン（１６）を前記ベースツメ（１０）に挿通するとともに、該ベースツメ（１０）と前記バーツメ（１５）が互いに噛合する方向に付勢するスプリング（２１）を挿通し、前記バーシジピン（１６）の外周から一部が突出する形状の突出部（２３ｂ）を備えたキセイプレート（２３）で抜け止めする一方、前記ベースツメ（１０）に設けた雌ネジ部（１２）に螺合するキセイボルト（２５）の先端部が前記突出部（２３ｂ）に掛合するよう構成することによって、前記回動テスリ部（３）を垂下させたときには前記第二ツメ部（１５ｃ）が第二溝部（１３ｂ）に噛合され回動できない状態となり、この状態から９０度上方に回動すると第二ツメ部（１５ｃ）が第一溝部（１３ａ）に噛合され回動できない状態となり、さらに回動して反対側で回動テスリ部（３）を水平な状態としたときには、キセイボルト（２５）の先端部がキセイプレート（２３）の突出部（２３ｂ）に接触することにより第二ツメ部（１５ｃ）が第一溝部（１３ａ）に噛合することなく第二ツメ部（１４ｂ）により下方回動が拘束された状態かつ第一ツメ部（１４ａ）側となる上方回動が可能となるように構成した回動機構（４）を備えたことを特徴とするベッド用補助具（１）。
【請求項２】
前記バーツメ（１５）の外周部に溝部（１５ａ）を設け、該バーツメ（１５）の外周部を覆うスライドカバー（１９）を挿通するとともに、該スライドカバー（１９）に螺着したネジ（２４）の先端部を前記溝部（１５ａ）に掛合させ、一方ベース（３）に回動自在に支承した操作レバー（２６）により前記スライドカバー（１９）を前記スプリング（２１）に抗して前記ベースツメ（１０）とバーツメ（１５）の噛合状態を解除可能に設けるとともに、該操作レバー（２６）にはロックレバー（３３）の一端部を支承し、該ロックレバー（３３）の他端部が自重により下方回動することで掛止部（３４ａ）に掛止され前記操作レバー（２６）の回動操作をロックするとともに、前記ロックレバー（３３）を上方回動させたときには突出部（３５）により上方位置で保持され、操作レバー（２６）の操作により、ロックレバー（３３）が移動することで前記突出部（３５）による保持が解かれるよう構成したロック機構（３２）を設けたことを特徴とする請求項１に記載のベッド用補助具（１）。
【請求項３】
請求項１または請求項２の何れかに記載のベッド用補助具（１）において、前記キセイプレート（２３）と前記キセイボルト（２５）が掛合したときに前記第二ツメ部（１５ｃ）が前記第二ツメ部（１４ｂ）に掛からないよう構成することによって、前記回動テスリ部（３）を垂下した状態と水平状態の一方側のみで保持されるよう構成した回動機構（４）を備えたことを特徴とするベッド用補助具（１）。
【請求項４】
前記雌ネジ部（１２）を前記ベースツメ（１０）の軸心に対して互いに対向するように設け、キセイボルト（２５）の螺着箇所を変更することで、前記回動テスリ部（３）を水平な状態としたときに回動が拘束された側をベッド（Ｂ）の外側に向けて取り付けられるよう構成したことを特徴とする請求項１または請求項３の何れかに記載のベッド用補助具（１）。
【発明の詳細な説明】
【技術分野】
【０００１】
本発明は、ベッド等の側部に取り付けて使用するベッド用補助具に関するものである。
【背景技術】
【０００２】
従来、高齢者等が使用するベッドに取り付けて、使用者や布団等の落下を防止する状態と、使用者がベッドの上がり下りや歩行訓練の際の手掛かりとする状態とに、極めて簡単な操作により姿勢変更できる補助具として次のようなものがある。
【０００３】
この補助具とは、ベッドに脱着可能に設けられた固定テスリ部と、該固定テスリ部の前後一端側に前後方向の軸心回りに回動可能な回動テスリ部とからなるテスリを設けるに、当該テスリの回動テスリ部は、垂下した状態と略水平状に保持される状態とに姿勢変更可能に構成したことを特徴とするものである。
その構成として、ベッドに設けられるテスリ取付用孔に上部から挿通される門型状の固定テスリ部と、その後端上部一体のボス部を介して回動自在に前後方向に挿通され、ねじと挿通軸に刻設された抜止溝とで取り付けられる回動テスリ部とからなり、この回動テスリ部は、パイプで略楕円状のループに形成され、前記ボス部と挿通軸側端面部の回動テスリ部部分に設けられた回動ストッパー片とで該回動テスリ部が下方に垂れ下がる状態と内側のやや下方に傾斜してストップされる状態とに切り替えられるように構成されている（特許文献１）。
【０００４】
上記構成によるベッド用補助具では、回動テスリ部は垂下した状態から約２７０度の範囲内で回動することができるように構成されたものであって、垂下した状態と略水平な状態とで何れか一方側に回動することができるものとなっている。
そのため、略水平な状態として移動の補助とする場合、テスリを握った状態で上方向への力が作用すると、回ってしまい危険な状態となる可能性がある。
【特許文献１】特開平９−１０２６４号公報
【０００５】
そこで、上記問題点を解消するためにベッドの床部に対して水平な状態で上方向の回転を規制させた場合には、立ち上がりの際には安定して使用することができるが、ベッドを背上げさせたときにベッドとこのテスリとの間で挟まれる危険性が考えられる。
【発明の開示】
【発明が解決しようとする課題】
【０００６】
そこで、これらの問題点を解決するために、回動テスリ部を垂下したときには、何れの方向にも回動しない状態で保持され、ベッドの内側に向けて略水平状態としたときには上方のみ回動できる状態で保持される一方、ベッドの外側に向けて略水平状態としたときには何れの方向にも回動しない様態で保持されるよう構成したベッド用補助具を提供することを課題とする。
【課題を解決するための手段】
【０００７】
請求項１の発明では、ベッド（Ｂ）に挿着するベース（２）と、該ベース（２）に回動機構（４）を介して回動自在に具備される回動テスリ部（３）とからなるベッド用補助具（１）において、前記ベース（２）には縦ベースパイプ（７）が立設されるとともに該縦ベースパイプ（７）の上端部には前記回動機構（４）を構成するベースツメ（１０）が止着され、該ベースツメ（１０）には軸心方向に直交するように第一溝部（１３ａ）を設けるとともに略半円弧状の第一ツメ部（１４ａ）と該第一ツメ部（１４ａ）よりも突出する第二ツメ部（１４ｂ）を設ける一方、該第二ツメ部（１４ｂ）を２分割する第二溝部（１３ｂ）を設け、前記回動テスリ部（３）のバーパイプ（８）の基端部には回動機構（４）を構成するバーツメ（１５）が止着され、該バーツメ（１５）には前記第一溝部（１３ａ）に噛合可能な第二ツメ部（１５ｃ）を設けるとともにバーシジピン（１６）を止着し、該バーシジピン（１６）を前記ベースツメ（１０）に挿通するとともに、該ベースツメ（１０）と前記バーツメ（１５）が互いに噛合する方向に付勢するスプリング（２１）を挿通し、前記バーシジピン（１６）の外周から一部が突出する形状の突出部（２３ｂ）を備えたキセイプレート（２３）で抜け止めする一方、前記ベースツメ（１０）に設けた雌ネジ部（１２）に螺合するキセイボルト（２５）の先端部が前記突出部（２３ｂ）に掛合するよう構成することによって、前記回動テスリ部（３）を垂下させたときには前記第二ツメ部（１５ｃ）が第二溝部（１３ｂ）に噛合され回動できない状態となり、この状態から９０度上方に回動すると第二ツメ部（１５ｃ）が第一溝部（１３ａ）に噛合され回動できない状態となり、さらに回動して反対側で回動テスリ部（３）を水平な状態としたときには、キセイボルト（２５）の先端部がキセイプレート（２３）の突出部（２３ｂ）に接触することにより第二ツメ部（１５ｃ）が第一溝部（１３ａ）に噛合することなく第二ツメ部（１４ｂ）により下方回動が拘束された状態かつ第一ツメ部（１４ａ）側となる上方回動が可能となるように構成した回動機構（４）を備えたことを特徴とする。
請求項２の発明では、前記バーツメ（１５）の外周部に溝部（１５ａ）を設け、該バーツメ（１５）の外周部を覆うスライドカバー（１９）を挿通するとともに、該スライドカバー（１９）に螺着したネジ（２４）の先端部を前記溝部（１５ａ）に掛合させ、一方ベース（３）に回動自在に支承した操作レバー（２６）により前記スライドカバー（１９）を前記スプリング（２１）に抗して前記ベースツメ（１０）とバーツメ（１５）の噛合状態を解除可能に設けるとともに、該操作レバー（２６）にはロックレバー（３３）の一端部を支承し、該ロックレバー（３３）の他端部が自重により下方回動することで掛止部（３４ａ）に掛止され前記操作レバー（２６）の回動操作をロックするとともに、前記ロックレバー（３３）を上方回動させたときには突出部（３５）により上方位置で保持され、操作レバー（２６）の操作により、ロックレバー（３３）が移動することで前記突出部（３５）による保持が解かれるよう構成したロック機構（３２）を設けたことを特徴とする。
請求項３の発明では、前記キセイプレート（２３）と前記キセイボルト（２５）が掛合したときに前記第二ツメ部（１５ｃ）が前記第二ツメ部（１４ｂ）に掛からないよう構成することによって、前記回動テスリ部（３）を垂下した状態と水平状態の一方側のみで保持されるよう構成した回動機構（４）を備えたことを特徴とする。
請求項４の発明では、前記雌ネジ部（１２）を前記ベースツメ（１０）の軸心に対して互いに対向するように設け、キセイボルト（２５）の螺着箇所を変更することで、前記回動テスリ部（３）を水平な状態としたときに回動が拘束された側をベッド（Ｂ）の外側に向けて取り付けられるよう構成したことを特徴とする。
【発明の効果】
【０００８】
請求項１の発明では、ベース（２）に設けたベースツメ（１０）と、回動テスリ部（３）に設けたバーツメ（１５）のそれぞれに設けたツメ部の噛合状態によって、回動テスリ部（３）を垂下した状態と水平状態の一方側で回動されない状態で保持可能とするとともに、キセイプレート（２３）とキセイボルト（２５）の作用によって互いのツメ（１０），（１５）のかみ合い深さを規制することで回動テスリ部（３）を水平状態の他方側に向けたときには下方回動はできないが上方回動はできる状態とすることができる回動手段（４）としている。したがって、ベッド（Ｂ）の内側に向けて水平状態としたときには上方回動できるよう取り付けることによって、ベッド（Ｂ）の背上げ時に回動テスリ部（３）との挟み込みが防止できる。また、垂下させた状態では布団等の落下防止として使用できる。さらに、ベッド（Ｂ）の外側に向けて回動テスリ部（３）を水平状態としたときには、立ち上がりの手掛かりとして安全に使用することができる。
請求項２の発明では、回動機構におけるベースツメ（１０）とバーツメ（１５）の噛合状態を解除する操作レバー（２６）を設けるとともに、この操作レバー（２６）が不用意に回動されることが無いようロック機構（３２）を備えている。したがって、安全に使用することができる。
請求項３の発明では、回動テスリ部（３）を垂下した状態と水平状態の一方側でのみ保持されるように構成している。したがって、ベッド（Ｂ）の背上げ角度が大きくなったときの前後方向の押出しによる回動テスリ部（３）との挟み込みを防止することができる。
請求項４の発明では、キセイボルト（２５）の螺着箇所の変更のみでベッド（Ｂ）の左右取付方向を変更できる。
【発明を実施するための最良の形態】
【０００９】
ベッド用補助具を主としてベッドへの取付部となるベースと、立ち上がりの際の手掛かりとしても使用できるように構成した回動テスリ部と、前記ベースと該回動テスリ部を回動機構を介して連結することにより、回動テスリ部を垂下した状態では回転不能に保持拘束でき、ベッドの内側に向けて略水平状態としたときには上方回動自在とするとともに、ベッドの外側に向けて略水平状態としたときにはその状態で保持拘束できるよう構成するとともに、ベッドの左右何れの側にも取り付けできるように構成する。
【実施例１】
【００１０】
本発明に係るベッド用補助具１は、図１に示すように主として、ベース２と回動テスリ部３及び、該ベース２と回動テスリ部３間に配される回動機構４とからなる。
以下、図１及び図２に基づいて各部を説明する。
まず、ベース２について説明する。
このベース２は、ベースパイプ５を備えており、該ベースパイプ５下面には一定間隔離間させて固着される固定ピン６，６を備えている。この固定ピン６，６の間隔はベッドＢに具備されるサイドフレームＳｆに設けられたサイドレールの取付孔ｈ，ｈ，・・・の間隔であり、一般的には４００ｍｍである。
そして、ベースパイプ５の上面一端部には縦ベースパイプ７が固着されている。
なお、本実施例においては前述のようにベッドＢのサイドレールの取付孔ｈ，ｈ，・・・を利用する構成としているが、ベッドＢに取り付けできるものであれば良く、ベース２の構成を本実施例に限定するものではない。
【００１１】
次に回動テスリ部３について説明する。
この回動テスリ部３は、枠状に曲折されたバーパイプ８を備えており、該バーパイプ８の内部に補強部材９，９，・・・を固着してなるものである。
なお、この回動テスリ部３については、本実施例では上述したものであるが、プレート状に構成したり、テーブル状のプレートを着脱自在となるように構成しても良く、ベッドＢの床面に対して略水平状態としたときに手掛かりとして把持し易い形状であることが好ましいが本実施例に限定するものではない。
【００１２】
続いて、回動機構４について説明する。
この回動機構４は、少なくとも前記回動テスリ部３を垂下したときとベッドＢの外側に向けて略水平にしたときに回動テスリ部３が何れの方向にも回動しないように構成するとともに、前記回動テスリ部３をベッドＢの内側に向けて略水平にしたときには上方向への回動のみ可能となるよう構成したものである。
まず、この回動機構４は、縦ベースパイプ７の上端部に固着されるベースツメ１０を備えている。該ベースツメ１０は筒状に構成されており、内部には一方側が大径空孔部１１ａとなり他方側が小径空孔部１１ｂとなる段付空孔部１１が設けられている。そして、ベースツメ１０の外周部の大径空孔部１１ａ側には、軸心方向に直行するとともに互いに対向するように雌ねじ部１２，１２が設けられている。
また、小径空孔部１１ｂ側の端面には複数の溝部１３ａ，１３ｂとツメ部１４ａ，１４ｂが設けられている。これらツメ部１４ａ，１４ｂは、左右方向を通る深い第一溝部１３ａを設け、この第一溝部１３ａの上側には半円弧状の第一ツメ部１４ａが備わるとともに溝部１３ａの下側には第一ツメ部１４ａよりも突き出した第二ツメ部１４ｂが備えられる。さらに、第二ツメ部１４ｂの上下方向中間部には第一ツメ部１４ａと同じ位置となるように第二溝部１３ｂが設けられており、第二ツメ部１４ｂは左右に２分割されて配される状態となっている。
【００１３】
そして、このベースツメ１０に噛合するバーツメ１５が前記回動テスリ部３に固着されている。
このバーツメ１５は筒状に構成されており、外周部には溝部１５ａが設けられている。
また、前記ベースツメ１０に噛合するために、左右方向の第一ツメ部１５ｂ，１５ｂと上下方向の第二ツメ部１５ｃが設けられている。この第二ツメ部１５ｃはツメの長さが第一ツメ部１５ｂ，１５ｂよりも長く形成されるとともに、これらのツメ部１５ｂ，１５ｂ，１５ｃ間にできる溝部の底は同じ位置となるように構成されている。
さらに、このバーツメ１５の内部には、バーシジピン１６が固着されている。このバーシジピン１６の先端部には非円形となる外周形状の突起部１６ａが設けられるとともに、内部に雌ネジ部１６ｂが設けられている。
また、カラー１７の外周部の一部にＵ字状の掛止溝１８ａを備えたプレート１８を固着してスライドカバー１９を構成している。なお、このカラー１７には雌ネジ部１７ａが設けられている。
【００１４】
このようにバーツメ１５が固着された回動テスリ部３には、前記スライドカバー１９を挿通し、スライドカバー１９の雌ネジ部１７ａに螺合するネジ２０の先端部をバーツメ１５の溝部１５ａに嵌め込むようにして回動テスリ部３に対してスライドカバー１９が回転自在かつ抜け止めされた状態となっている。
そして、これをベース２側のベースツメ１０に挿通して、大径空孔部１１ａ側からスプリング２１とメタル２２及びキセイプレート２３を嵌め込み、上記バーシジピン１６の雌ネジ部１６ｂにネジ２４を螺着して抜け止めしている。なお、キセイプレート２３にはバーシジピン１６の突起部１６ａが挿通される空孔部２３ａが設けられるとともに、バーシジピン１６の外周から一部突出する状態となるような突出部２３ｂを備えた形状とされている。したがって、バーシジピン１６の突起部１６ａが非円形であるのでキセイプレート２３はバーシジピン１６の回動時に同期して回動するよう構成されている。なお、前記スプリング２１は回動テスリ部３をベースツメ１０側に付勢するものであり、常時互いのツメが噛合する方向に付勢するものである。
また、左右の雌ネジ部１２，１２の一方にはキセイボルト２５が螺合されており、このキセイボルト２５の先端が前記キセイプレート２３の突出部２３ｂに係る程度の長さであるとともに、ベースツメ１０の第一ツメ部１４ａとバーツメ１５の第二ツメ部１５ｃが互いに接する位置から回動したときにキセイプレート２３の突出部２３ｂにキセイボルト２５が掛かり、前記ベースツメ１０の第一溝部１３ａにバーツメ１５の第二ツメ部１５ｃが噛合しないよう前記スプリング２１の付勢力を保持できるように配されている。
【００１５】
そして、この回動機構４にはベースツメ１０とバーツメ１５の噛合状態を解除するための操作レバー２６が設けられている。
この操作レバー２６は、縦ベースパイプ７の上部の回動テスリ３側の面に固着されたレバーシテンプレート２７に取り付けられる。該レバーシテンプレート２７の先端部には空孔部２７ａが穿設されている。
そして、平面視において略Ｕ字状に曲折した基部プレート２８にレバー部材２９を固着して操作レバー２６としている。この基部プレート２８には、前記スライドカバー１９のプレート１８に設けた掛止孔１８ａに掛合するようにピン２８ａを止着するとともに、前記レバーシテンプレート２７に止着するための空孔部２８ｂが穿設されている。
この操作レバー２６を前記レバーシテンプレート２７に回動自在となる状態で止着するとともに、前記ピン２８ａを前記掛止溝１８ａに掛止させている。
このように操作レバー２６を取り付けることで操作レバー２６を縦ベースパイプ７側に引き寄せると前記ピン２８ａが反縦ベースパイプ７側に向けて回動され、スライドカバー１９をスプリング２１の付勢力に抗して反縦ベースパイプ７側にスライドさせる。このスライドカバー１９にはネジ２０が螺合されており、該ネジ２０の先端部が上記バーツメ１５の溝部１５ａに引っ掛かる状態であるので、バーツメ１５もスライドカバー１９によってスライドし、バーツメ１５とベースツメ１０の噛合状態が解除され、回動テスリ部３が回動自在な状態となる。
なお、３０はカバーである。
【００１６】
上記のように構成されたベッド用補助具１は、次のようにして使用する。
まず、ベース２の固定ピン６，６をベッドＢのサイドフレームＳｆの取付孔ｈ，ｈに挿通する。なお、確実に固定する場合には、前記固定ピン６，６の下面側に設けられた雌ネジ部６ａ，６ａにボルト部材等を螺着して固定すればよい。
また、この補助具１は立ち上がりの際の手掛かりとしたり、テーブルとして使用することができるので図３に示すようにベッドＢの頭部寄りに取り付けることが好ましい。
【００１７】
まず、このベッド用補助具１の回動テスリ部３を垂下して使用する場合（図３（ａ），図４（ａ）及び図５参照）について説明する。
このときには、バーツメ１５の第二ツメ部１５ｃがベースツメ１０の第二溝部１３ｂに噛合した状態となっている。そのため、回動テスリ部３はバーシジピン１６を中心とした回動が拘束された状態となり、ベッドＢ上の布団や使用者の落下防止として使用することができる。
【００１８】
次に、操作レバー２６を縦ベースパイプ７側に回動させて、ベースツメ１０（第二溝部１３ｂ）とバーツメ１５（第二ツメ部１５ｃ）の噛合状態を解除し、回動テスリ部３をベッドＢの外側に向けて略水平な状態すなわち、垂下した状態から９０度回動させた状態（図３（ｂ），図４（ｂ）及び図６参照）について説明する。
この状態では、前記バーツメ１５の第二ツメ部１５ｃがベースツメ１０のベッドＢ外方に位置する第一溝部１３ａに噛合した状態となる。このとき、バーツメ１５の第一ツメ部１５ｂも前記ベースツメ１０の第二溝部１３ｂに噛合している。そのため、回動テスリ部３は略水平状態で拘束され、該回動テスリ部３を手掛かりとして立ち上がりなどに使用することができる。
【００１９】
さらに、操作レバー２６を回動させて、バーツメ１５とベースツメ１０の噛合状態を解除し、回動テスリ部３を９０度回動させると次のようになる（図４（ｄ）参照）。バーツメ１５の第二ツメ部１５ｃがベースツメ１０の第一ツメ部１４ａ上に乗り上げた状態となり、バーツメ１５の第一ツメ部１５ｂはベースツメ１０の第二ツメ部１４ｂ，１４ｂに接触しない状態となっている。したがって、互いのツメ部が噛合していないので何れの方向にも回動することができる。この状態からさらにベッドＢの内側に向けて９０度回動した状態（図３（ｃ），図４（ｃ）及び図７参照）では、次のようになる。
まず、キセイプレート２３の突起部２３ｂがベースツメ１０に螺着したキセイボルト２５に接触して、バーツメ１５のツメ部１５ｂ，１５ｃがベースツメ１０の溝部１３ａ，１３ｂに噛合しない状態で保持される。このとき、回動テスリ３の自重によって、バーツメ１５の第二ツメ部１５ｃがベースツメ１０の第二ツメ部１４ｂ上に載った状態になり、回動テスリ部３は上方向きの回動は可能であるが、下方回動しない状態となっている。
したがって、この状態がベッドＢの内側になるようにしておけば、ベッドＢを背上げしたときに身体が回動テスリ部３に挟まれそうになった場合にも自動的に回動テスリ部３が上方回動し、挟み込みが防止できるように構成されている。
なお、このように上方回動が自在となるのは回動テスリ部３が水平状態であるときで、キセイプレート２３の突出部２３ｂがキセイボルト２５に接当するときのみである。したがって、キセイボルト２５を反対側の雌ネジ部１２に螺合することによって反対側で上方回動自在となるように設定することもできる。
また、両方の雌ネジ部１２，１２にキセイボルト２５，２５を螺合した場合には何れの側でも上方回動側には回動自在とすることができ、両方の雌ネジ部１２，１２にキセイボルト２５を螺合しない場合には両側で水平状態としたときにそれぞれ回動を拘束することができることは言うまでもない。
【００２０】
上述したように本発明に係るベッド用補助具１は、回動テスリ部３が垂下した状態及び一方側に向けて水平状態としたときには、回動できない状態で保持されるように構成されている。
また、他方側に向けて回動テスリ部３を水平状態としたときには、下方回動側には回動できず、上方回動する側には回動できるように構成されている。
詳述すると、回動テスリ部を略水平な状態としたときに、一方側では互いのツメ１０，１５の第一溝部１３ａと第二ツメ部１５ｃを噛合させ、他方側では前記第一溝部１３ａと第二ツメ部１５ｃを噛合させず第二ツメ部１４ｂ上に第二ツメ部１５ｃが接触した状態となるように上記キセイプレート２３とキセイボルト２５により互いのツメ１０，１５の噛み合い深さをかえることができるよう構成したものである。
したがって、ベッドＢに挿着する際に回動テスリ部３を水平状態としたときに上方回動できる側をベッド側Ｂに向けて挿着すると、ベッドＢ上ではテーブルとして使用したり、姿勢変更時の手掛かりとして使用することができるとともに、垂下させた状態では落下防止柵として使用することができる。また、ベッドＢ９の外方に向けて水平状態とすると立ち上がりの際の手掛かりとして安全に使用できる。
また、反対側に取り付ける場合にはベースツメ１０の反対側の雌ネジ部１２にキセイボルト２５を螺合させれば良く、簡単にベッドＢの左右両側で使い分けることができる。
さらに、ベッドＢの外側に向けて略水平な状態としたときには、バーツメ１５の第一ツメ部１５ｂと第二ツメ部１５ｃがそれぞれベースツメ１０の第一溝部１３ａと第二溝部１３ｂに噛合するように構成されており、立ち上がる際の手掛かりとして使用するのに十分な強度を備えている。しかしながら、材質的に十分な強度を備えたものを使用する場合には、バーツメ１５の構成を第二ツメ部１５ｃのみで構成しても同様の作用を得ることができる。
【００２１】
なお、上記の構成によると操作レバー２６は常に作動可能な状態となっている。
これでは、何らかの要因により操作レバー２６が回動してしまうと回動テスリ部３が回動し始め、危険な状態となる場合が考えられる。
これを防止するために、操作レバー２６にロック機構３２を具備させるとより安全に使用することができる。
【００２２】
このロック機構３２は、次のように構成されている。
まず、操作レバー２６の上部寄りにロックレバー３３が回動自在になるように取り付けられている。このロックレバー３３は丸棒状の胴部３３ａと操作レバー２６に支承される板状の取付部３３ｂと掛止部３３ｃが一体的に構成されたものである。すなわち、平面視において胴部３３ａから取付部３３ｂへと幅が薄くなるように構成している。
一方、上記縦ベースパイプ７の上部寄りには前記ロックレバー３３が挿通される開口部７ａが設けられている。この開口部７ａは幅がロックレバー３３の胴部３３ａの幅程度であり、ロックレバー３３が上下に回動移動可能な大きさである。
また、この開口部７ａの下方に位置する状態で縦ベースパイプ７の内部にはストッパーピン３４が固着されている。該ストッパーピン３４には、鋸歯状の掛止部３４ａ，３４ａが備えられており、前記ロックレバー３３の掛止部３３ｃが掛止可能となっている。
さらに、開口部７ａの一側面には突出片３５が設けられており、ロックレバー３３を前記掛止部３４ａに掛止しないようロックレバー３３を上方回動した状態で保持することができるように構成されている。
【００２３】
なお、前記突出片３５は、図８（ａ）に示すようにプレート３６に開口部３６ａを設け、この開口部３６ａの内部に逆Ｌ字状の突出片３５を設けるよう構成してもよい。このような形状の突出片３５とすることにより、ある程度の弾性を有することができ、ロックレバー３３を上方回動させると突出片３５を開口部７ａから押出し、上方位置に達すると突出片３５が元の位置に復帰しているのでロックレバー３３をその状態で保持できる。
また、図８（ｂ）に示すように、弾性体３７を縦ベースパイプ７に止着して、弾性体３７の一部を開口部７ａ内に突出させ突出片３５としても良い。
つまり、ロックレバー３３の胴部３３ａの上下移動範囲内に突出片３５が突出するよう配設するとともに、突出部３５が有する弾性によって胴部３３ａの上方移動時には突出片３５がこの移動を妨げないよう変形可能であるように構成したものであれば良い。
【００２４】
上記のように構成されたロック機構３２によれば、回動テスリ部３を何れかの方向に回動させるとロックレバー３３が自重によりストッパーピン３４の掛止部３４ａに掛止される。したがって、操作レバー２６を縦ベースパイプ７側に回動させようとしてもロックレバー３３が突っ支い棒となり、回動できない状態となっている。
この状態では、操作レバー２６に布団等を引掛けて回動テスリ部３を不測に動作させることが防止できるので安全に使用することができる。
また、回動テスリ部３を回動する場合には、前記ロックレバー３３を上方回動する。このときロックレバー３３は縦ベースパイプ７の突出片３５を乗越えて上方位置に位置させるとロックレバー３３は上方位置で保持されるので操作レバー２６の操作を簡単に行うことができる。
そして、この状態から操作レバー２６を縦ベースパイプ７側に回動すると、上記説明のようにベースツメ１０からバーツメ１５がスプリング２１に抗して離間し、噛合状態が解除されるので回動テスリ部３の回動操作ができるようになる。また、操作レバー２６の操作によって、ロックレバー３３は胴部３３ａが開口部７ａ内に進入し、突出片３５がロックレバーの胴部３３ａから取付部３３ｂへ相対的に移動する（図９（ａ）参照）。この取付部３３ｂは胴部３３ａよりも薄く形成されているので、突出片３５による引っ掛かりがなくなり自重によってロックレバー３３は下方回動する。そして、回動テスリ部３の回動操作を完了させ、操作レバー２６から手を放すと、その状態で掛止部３４ａに掛止される状態となり、操作レバー２６の操作を自動的にロックする状態となるよう構成されている。
【００２５】
このように、突出片３５を備えたロック機構３２とすることで、操作レバー２６のロック解除がし易くなり、片手で操作レバー２６のロック解除及び操作ができ、もう片方の手で回動テスリ部３の操作を行うことができる。
また、ロック機構３２を設けることによって、誤作動を防止できるので安全に使用することができる。
【００２６】
次に図１０について説明する。この回動機構４では、上記で説明した回動機構４と構成は略同じであり、キセイプレート２３の厚みが厚く構成されているものを示している。
このときには、キセイプレート２３の突出部２３ｂとキセイボルト２５が接触するとき、すなわち回動テスリ部３をベッドＢの内側に向けて略水平な状態としたときに、バーツメ１５の第二ツメ部１５ｃがベースツメ１０の第二ツメ部１４ｂに接触しない状態となるように互いのツメ部の噛み合い深さを設定している。このときには、回動テスリ部３が上下に回動自在な状態となり、その位置での保持ができないよう構成されている。
このように構成された場合には、回動テスリ部３を垂下させたときと、ベッド（Ｂ）の外側に向けて水平な状態としたときに回動できない状態で保持される。
なお、図１０においては、キセイプレート２３の厚みを厚くしているが、雌ネジ部１２を回動テスリ部３側に接近させた位置にも設けておくことで、キセイボルト２５の螺着箇所の変更で、これまで説明したそれぞれの状態に変更することができる。
【図面の簡単な説明】
【００２７】
【図１】ベッド用補助装置を示す全体正面図（一部断面図）
【図２】その構成を示す斜視図
【図３】使用状況説明図
【図４】回動機構の作用を示す要部断面図
【図５】回動テスリ部を垂下させたときの説明図
【図６】回動テスリ部を反ベッド側に水平にしたときの説明図
【図７】回動テスリ部をベッド側に水平にしたときの説明図
【図８】ロック機構の突出片を示す要部側面図
【図９】ロック機構の突出片の作用を示す断面図
【図１０】キセイプレートの別の実施例を示す要部正面図（一部断面図）
【符号の説明】
【００２８】
１    ベッド用補助具
２    ベース
３    回動テスリ部
４    回動機構
７    縦ベースパイプ
８    バーパイプ
１０  ベースツメ
１２  雌ネジ部
１３ａ  第一溝部
１３ｂ  第二溝部
１４ａ  第一ツメ部
１４ｂ  第二ツメ部
１５  バーツメ
１５ｃ  第二ツメ部
１６  バーシジピン
１９  スライドカバー
２１  スプリング
２３  キセイプレート
２５  キセイボルト
２６  操作レバー
３２  ロック機構
【図１】
2008188129.tif 000003
【図２】
2008188129.tif 000004
【図３】
2008188129.tif 000005
【図４】
2008188129.tif 000006
【図５】
2008188129.tif 000007
【図６】
2008188129.tif 000008
【図７】
2008188129.tif 000009
【図８】
2008188129.tif 000010
【図９】
2008188129.tif 000011
【図１０】
2008188129.tif 000012